(57)【要約】光ディスク及び光ディスクの記録方法を提供する。記録／再生が可能な光ディスク上にオーバーライトする場合、前記光ディスクの記録方法において、オーバーライティングが開始される物理的クラスターの前でリンキングを行う段階を含むことを特徴とする光ディスクの記録方法である。本発明による光ディスク及び光ディスクの記録方法は、データが記録された後、その上の一部領域にオーバーライティングを行う時または欠陥領域を含む領域にオーバーライティングを行う時、オーバーライティング領域の前でリンキングが起こるように処理し、欠陥領域の後にリンキングが起こるように規定することによってデータの記録／再生を安定的に行う。
2005524921.tif 000002
【特許請求の範囲】
【請求項１】
記録／再生が可能な光ディスク上にオーバーライトする場合、前記光ディスクの記録方法において、
オーバーライティングが開始される物理的クラスターの前でリンキングを行う段階を含むことを特徴とする光ディスクの記録方法。
【請求項２】
オーバーライティングが終了する物理的クラスターの後に記録の終了を知らせるガード３を記録する段階を含むことを特徴とする請求項１に記載の光ディスクの記録方法。
【請求項３】
前記物理的クラスターの前後にそれぞれデータを正確に記録するためのランインとランアウトとを備え、オーバーライティングが開始される物理的クラスター前にあるランインとランアウト間でリンキングを起こすことを特徴とする請求項１または２に記載の光ディスクの記録方法。
【請求項４】
前記ランイン及びランアウトにはユーザデータを保護するための別途のガード１とガード２とをさらに備えることを特徴とする請求項３に記載の光ディスクの記録方法。
【請求項５】
前記物理的クラスターの前後にそれぞれデータを正確に記録するためのランインとランアウトとを備え、オーバーライティングが終了する物理的クラスターのランアウトの後にあるランインに記録の終了を表すガード３を記録することを特徴とする請求項２または４に記載の光ディスクの記録方法。
【請求項６】
前記ガード２と前記ガード３とが互いに同じ長さ及びパターンを有することを特徴とする請求項５に記載の光ディスクの記録方法。
【請求項７】
前記ガード３は、少なくとも３００チャンネルビット長を有し、少なくとも３Ｔ及び５Ｔを含む連続パターンよりなることを特徴とする請求項６に記載の光ディスクの記録方法。
【請求項８】
前記光ディスクの記録／再生時に青紫色の波長の光源を使用することを特徴とする請求項１または２に記載の光ディスクの記録方法。
【請求項９】
前記光ディスクの記録／再生時に開口数０.７以上である対物レンズを使用することを特徴とする請求項１または２に記載の光ディスクの記録方法。
【請求項１０】
前記光ディスクは、トラックピッチが０.３５μｍ以下であり、最小記録マークは０.２μｍ以下の長さを有し、ＥＣＣ記録単位は３２ＫＢ以上であることを特徴とする請求項１または２に記載の光ディスクの記録方法。
【請求項１１】
前記光ディスクは、トラックピッチが０.３５μｍ以下であり、最小記録マークは０.２μｍ以下の長さを有し、ＥＣＣ記録単位は３２ＫＢ以上であることを特徴とする請求項５に記載の光ディスクの記録方法。
【請求項１２】
記録／再生が可能な光ディスク上にオーバーライトする場合、前記光ディスクの記録方法において、
物理的クラスター単位で記録された後、オーバーライティング時にオーバーライティングが開始される物理的クラスターの前でリンキングを行う段階と、
オーバーライティングが行われる領域内に記録できない欠陥領域が含まれる時、前記欠陥領域の前で記録の終了を表すガード３を記録する段階とを含むことを特徴とする光ディスクの記録方法。
【請求項１３】
前記欠陥領域次にリンキングが起こるように処理する段階をさらに含むことを特徴とする請求項１２に記載の光ディスクの記録方法。
【請求項１４】
前記物理的クラスターの前後にそれぞれデータを正確に記録するためのランインとランアウトとを備えることを特徴とする請求項１２または１３に記載の光ディスクの記録方法。
【請求項１５】
前記欠陥領域の後にあるランインとランアウト間でリンキングが起こるように処理することを特徴とする請求項１４に記載の光ディスクの記録方法。
【請求項１６】
オーバーライティングが行われる一部領域の前にあるランインとランアウト間でリンキングが起こるように処理することを特徴とする請求項１４に記載の光ディスクの記録方法。
【請求項１７】
前記ランイン及びランアウトにはユーザデータを保護するための別途のガード１とガード２とをさらに備えることを特徴とする請求項１５または１６に記載の光ディスクの記録方法。
【請求項１８】
前記ガード２と前記ガード３とが互いに同じ長さ及びパターンを有することを特徴とする請求項１７に記載の光ディスクの記録方法。
【請求項１９】
前記ガード３は、少なくとも３００チャンネルビット長を有し、少なくとも３Ｔ及び５Ｔを含む連続パターンよりなることを特徴とする請求項１２または１８に記載の光ディスクの記録方法。
【請求項２０】
オーバーライティングが終了する物理的クラスターの後に記録の終了を知らせるガード３を記録する段階を含むことを特徴とする請求項１２または１３に記載の光ディスクの記録方法。
【請求項２１】
前記物理的クラスターの前後にそれぞれデータを正確に記録するためのランインとランアウトとを備え、オーバーライティングが終了する物理的クラスターに後続するランインに記録の終了を表すガード３を記録することを特徴とする請求項１９に記載の光ディスクの記録方法。
【請求項２２】
前記光ディスクの記録／再生時に青紫色の波長の光源を使用することを特徴とする請求項１２または１３に記載の光ディスクの記録方法。
【請求項２３】
前記光ディスクの記録／再生時に開口数０.７以上である対物レンズを使用することを特徴とする請求項１２または１３に記載の光ディスクの記録方法。
【請求項２４】
前記光ディスクは、トラックピッチが０.３５μｍ以下であり、最小記録マークは０.２μｍ以下の長さを有し、ＥＣＣ記録単位は３２ＫＢ以上であることを特徴とする請求項１２または１３に記載の光ディスクの記録方法。
【請求項２５】
データを記録及び／または再生しうる光ディスクにおいて、
データが記録される複数の物理的クラスターと、
前記物理的クラスターの前後にそれぞれデータを正確に記録するために備えたランインとランアウトとを含み、
前記物理的クラスターにオーバーライティングが行われる時、オーバーライティングが開始される領域の前にあるランインとランアウトとでリンキングが起こるように処理することを特徴とする光ディスク。
【請求項２６】
前記物理的クラスターにオーバーライティングが行われる時、オーバーライティングが終了する領域の後にあるランインに記録の終了を表すガード３が記録されたことを特徴とする請求項２５に記載の光ディスク。
【請求項２７】
前記ランイン及びランアウトにはユーザデータを保護するための別途のガード１とガード２とをさらに備えることを特徴とする請求項２５または２６に記載の光ディスク。
【請求項２８】
前記ガード２と前記ガード３とが互いに同じ長さ及びパターンを有することを特徴とする請求項２６に記載の光ディスク。
【請求項２９】
前記ガード３は、少なくとも３００チャンネルビット長を有し、少なくとも３Ｔ及び５Ｔを含む連続パターンよりなることを特徴とする請求項２８に記載の光ディスク。
【請求項３０】
前記光ディスクの記録／再生時に青紫色の波長の光源を使用することを特徴とする請求項２５または２６に記載の光ディスク。
【請求項３１】
前記光ディスクの記録／再生時に開口数０.７以上である対物レンズを使用することを特徴とする請求項２５または２６に記載の光ディスク。
【請求項３２】
前記光ディスクは、トラックピッチが０.３５μｍ以下であり、最小記録マークは０.２μｍ以下の長さを有し、ＥＣＣ記録単位は３２ＫＢ以上であることを特徴とする請求項２５または２６に記載の光ディスク。
【請求項３３】
データを記録及び／または再生しうる光ディスクにおいて、
データが記録される複数の物理的クラスターと、
前記物理的クラスターの前後にそれぞれデータを正確に記録するために備えたランイン及びランアウトと、
データを記録する前または使用中に欠陥が発生した欠陥領域とを含み、
前記欠陥領域と物理的クラスターを含む一部領域とにオーバーライティングが行われる時、オーバーライティングが開始される領域の前にあるランインとランアウトとでリンキングが起こるように処理することを特徴とする光ディスク。
【請求項３４】
オーバーライティングが行われる時、オーバーライティングが終了する領域の後にあるランインに記録の終了を表すガード３が記録されたことを特徴とする請求項３３に記載の光ディスク。
【請求項３５】
オーバーライティングが行われる一部領域の前にあるランインとランアウト間でリンキングが起こるように処理することを特徴とする請求項３３または３４に記載の光ディスクの記録方法。
【請求項３６】
前記欠陥領域の後にあるランインとランアウト間でリンキングが起こるように処理されたことを特徴とする請求項３３に記載の光ディスク。
【請求項３７】
前記欠陥領域の後にあるランインとランアウト間でリンキングが起こるように処理されたことを特徴とする請求項３５に記載の光ディスク。
【請求項３８】
前記ランイン及びランアウトにはユーザデータを保護するための別途のガード１とガード２とをさらに備えることを特徴とする請求項３６または３７に記載の光ディスク。
【請求項３９】
前記ガード２と前記ガード３とが互いに同じ長さ及びパターンを有することを特徴とする請求項３８に記載の光ディスク。
【請求項４０】
前記ガード３は、少なくとも３００チャンネルビット長を有し、少なくとも３Ｔ及び５Ｔを含む連続パターンよりなることを特徴とする請求項３９に記載の光ディスク。
【請求項４１】
前記光ディスクの記録／再生時に青紫色の波長の光源を使用することを特徴とする請求項３３に記載の光ディスク。
【請求項４２】
前記光ディスクの記録／再生時に青紫色の波長の光源を使用することを特徴とする請求項３５に記載の光ディスク。
【請求項４３】
前記光ディスクの記録／再生時に開口数０.７以上である対物レンズを使用することを特徴とする請求項３３に記載の光ディスク。
【請求項４４】
前記光ディスクの記録／再生時に開口数０.７以上である対物レンズを使用することを特徴とする請求項３５に記載の光ディスク。
【請求項４５】
前記光ディスクは、トラックピッチが０.３５μｍ以下であり、最小記録マークは０.２μｍ以下の長さを有し、ＥＣＣ記録単位は３２ＫＢ以上であることを特徴とする請求項３３に記載の光ディスク。
【請求項４６】
前記光ディスクは、トラックピッチが０.３５μｍ以下であり、最小記録マークは０.２μｍ以下の長さを有し、ＥＣＣ記録単位は３２ＫＢ以上であることを特徴とする請求項３５に記載の光ディスク。
【発明の詳細な説明】
【技術分野】
【０００１】
本発明は高密度の光ディスク及び高密度の光ディスクの記録方法に係り、さらに詳細にはディスクに記録が連続的に行われた後、オーバーライティング時にオーバーライティング領域の開始部分と終了部分とでのリンキングを規定した光ディスク及び光ディスクの記録方法に関する。
【背景技術】
【０００２】
一般的に、光ディスクは、非接触式で情報を記録／再生する光ピックアップ装置の情報記録媒体として広く採用され、情報記録容量によってコンパクトディスク（ＣＤ）、デジタル多機能ディスク（ＤＶＤ）に区分される。そして、記録、消去及び再生が可能な光ディスクとしては、６５０ＭＢのＣＤ−Ｒ、ＣＤ−ＲＷ、４.７ＧＢのＤＶＤ＋ＲＷなどがある。さらに、記録容量が２３ＧＢのＨＤ−ＤＶＤも開発されている。
【０００３】
ここで、反復記録可能なＣＤ−ＲＷの場合、一定容量の記録が可能な基本記録単位をパケットと称し、このパケットの構造を図１に示した。ユーザデータが記録されるユーザデータブロック１０５を中心に前後に複数のランインブロック１０３とランアウトブロック１１０とが規定されている。また、基本記録単位の先頭に連続記録可能にリンクブロック１００をおいている。ユーザデータブロック１０５が一部記録を行えない欠陥領域を含む場合、この欠陥領域には記録できないので、欠陥領域の前に記録を終了しなければならない。しかし、このような欠陥領域が発生した場合、光ディスクの記録／再生方法またはディスクの構造について定義されていない。したがって、ディスクまたは記録／再生装置の製造社ごとに欠陥領域に対する処理が変わる恐れがあり、これにより、ディスクドライブの互換性側面で問題が発生する恐れがある。このような問題はＣＤ系列のディスクだけでなく、ＤＶＤ系列及びＨＤ−ＤＶＤ系列でも共通的に発生する恐れがある。このような点で光ディスクに対する規格化の必要性がある。
【０００４】
本出願人は、特許文献１でＤＶＤ−ＲＷについて、欠陥領域の直後に一定の規則のリンキングスキームが適用される欠陥領域の処理方法と記録媒体とについて開始したところがある。
【０００５】
しかし、これから出る２３ＧＢ以上の容量を有する高密度の光ディスク（ＨＤ−ＤＶＤ）の場合、欠陥領域が発生する時にこれを処理する方法及びディスク構造に関しては全く定義されたところがない。また、データ記録領域のうち一部領域でオーバーライティングが起こる場合、オーバーライティングの開始部分と終了部分とでの記録方法についても定義されたところがない。したがって、前述したようにディスクドライブの互換性の問題が発生し、これにより、ディスクに対する記録／再生が不安定に行われる恐れがある。したがって、ＨＤ−ＤＶＤでオーバーライティングが行われる場合またはオーバーライティング時に欠陥領域が発生した場合、これに対応する記録／再生方法及びディスク構造に対する新しい定義及び規格が要求される。
【特許文献１】韓国公開特許２０００−７５３７４号公報
【発明の開示】
【発明が解決しようとする課題】
【０００６】
本発明は前記問題点を解決するために案出されたものであって、本発明の目的は、高密度の光ディスクに対するオーバーライティング時、オーバーライティングの開始部分でリンキングが起こり、オーバーライティングの終了部分で記録の終了を意味する記録終了データを記録した光ディスク及び光ディスクの記録方法を提供してディスクドライブの互換性を確保することによって、高密度の光ディスクの記録／再生性能を向上させることである。
【０００７】
本発明の他の目的は、オーバーライティング時に欠陥領域が発生した場合、欠陥領域の前で記録の終了を意味する記録終了データを記録し、欠陥領域の後でリンキングを起すことによって円滑に連続的な記録／再生が行われるように処理した光ディスク及び光ディスクの記録方法を提供することである。
【課題を解決するための手段】
【０００８】
前記目的を達成するために本発明による光ディスクの記録方法は、記録／再生が可能な光ディスク上にオーバーライトする場合、前記光ディスクの記録方法において、オーバーライティングが開始される物理的クラスターの前でリンキングを行う段階を含むことを特徴とする。
【０００９】
オーバーライティングが終了する物理的クラスターの後に記録の終了を知らせるガード３を記録する段階を含むことを特徴とする。
【００１０】
前記物理的クラスターの前後にそれぞれデータを正確に記録するためのランインとランアウトとを備え、オーバーライティングが開始される物理的クラスターの前にあるランインとランアウト間でリンキングが起こるように処理することを特徴とする。
【００１１】
前記ランイン及びランアウトにはユーザデータを保護するための別途のガード１とガード２とをさらに備えることを特徴とする。
【００１２】
前記物理的クラスターの前後にそれぞれデータを正確に記録するためのランインとランアウトとを備え、オーバーライティングが終了する物理的クラスターのランアウトに後続するランインに記録の終了を表すガード３を記録することを特徴とする。
【００１３】
前記目的を達成するために本発明による光ディスクの記録方法は、記録／再生が可能な光ディスク上にオーバーライトする場合、前記光ディスクの記録方法において、物理的クラスター単位に記録された後、オーバーライティング時にオーバーライティングが開始される物理的クラスターの前でリンキングを行う段階と、オーバーライティングが行われる領域内に記録できない欠陥領域が含まれる時、前記欠陥領域の前で記録の終了を表すガード３を記録する段階とを含むことを特徴とする。
【００１４】
前記欠陥領域の後にリンキングが起こるように処理する段階をさらに含むことを特徴とする。
【００１５】
前記目的を達成するために本発明による光ディスクは、データを記録及び／または再生しうる光ディスクにおいて、データが記録される複数の物理的クラスターと、前記物理的クラスターの前後にそれぞれデータを正確に記録するために備えたランイン及びランアウトとを含み、前記物理的クラスターにオーバーライティングが行われる時、オーバーライティングが開始される領域の前にあるランインとランアウトとでリンキングが起こるように処理されたことを特徴とする。
【００１６】
前記目的を達成するために本発明による光ディスクは、データを記録及び／または再生しうる光ディスクにおいて、データが記録される複数の物理的クラスターと、前記物理的クラスターの前後にそれぞれデータを正確に記録するために備えたランイン及びランアウトと、データを記録する前または使用中に欠陥が発生した欠陥領域と、を含み、前記欠陥領域と物理的クラスターを含む一部領域とにオーバーライティングが行われる時、オーバーライティングが開始される領域の前にあるランインとランアウトとでリンキングが起こるように処理されたことを特徴とする。
【発明を実施するための最良の形態】
【００１７】
以下、本発明の望ましい実施例による光ディスク及び光ディスクの記録方法について添付された図面を参照して詳細に説明する。
【００１８】
図２Ａは、記録／再生が可能な高密度の光ディスクにおいて、一つの物理的クラスター５にデータが記録された場合であり、図２Ｂは、複数の物理的クラスター１５に連続的にデータが記録された場合をそれぞれ表す。物理的クラスター５，１５は、容量が２ＫＢのフレームを３２個含み、シンクを表すシンクフレームとＤＣオフセットをコントロールするためのデータ及びエラー訂正をするＥＣＣ（エラーコレクションコード）を含んで構成される。ここで、ＥＣＣが６４ＫＢに構成されうる。
【００１９】
物理的クラスター５，１５の前後にはそれぞれランイン３，１３とランアウト８，１８とが規定されている。これらランイン３，１３とランアウト８，１８とはデータの記録／再生時に物理的クラスター５，１５にデータを正確に記録するためのものである。すなわち、データが記録しようとする定位置から少し離れてランイン３，１３またはランアウト８，１８に記録される場合、エラー訂正して処理することによってデータを円滑に記録／再生させる。
【００２０】
ランイン１３は、データの記録開始点の不一致または変化によるオーバーライティングを克服するための所定パターンのガード１  １３ａと、ロッキングや同期化などの信号処理をするためのプレアンブル１３ｂとより構成されうる。また、ランアウト１８も信号処理のためのポストアンブル１８ａと、データの記録開始点の変化によるオーバーライティングを解消するための所定パターンのガード２  １８ｂより構成されうる。結局、ガード１  １３ａとガード２  １８ｂとはユーザデータを保護するためのバッファの役割を行う。
【００２１】
一方、記録が終了する時、レーザパワーの不安定性のバッファ領域を確保するためのガード３  １０，２０が設けられる。ガード３  １０，２０によって一定容量のデータが記録される基本記録単位のデータ記録／再生が完了する。ここではユーザデータが記録される最小記録単位として物理的クラスターを例として説明したが、これ以外にセクター、ＥＣＣブロック、フレームなども含まれうる。
【００２２】
図３Ａは、複数の物理的クラスター１５にデータが連続的に記録された後、その上に再びオーバーライティングされる場合を例示した図である。物理的クラスター１５の前後にはそれぞれランイン１３とランアウト１８とが備わり、記録が終了する部分ではガード３  ２０が備わる。そして、例えば、図面でＡで表示された領域でオーバーライティングが行われる時、オーバーライティングが行われる領域にあるランイン、物理的クラスター及びランアウトはそれぞれ１３Ａ、１５Ａ、１８Ａで表した。この時、本発明の一実施例による光ディスクの記録方法は、図３Ｂに示されたように、オーバーライティング領域Ａの前にあるランイン１３Ａとランアウト１８’間でリンキングが起こる。
【００２３】
リンキングは、ディスクの一部領域にデータのオーバーライティングが開始される時、記録しようとする位置を正確に探せずにランアウト１８’の一部領域または隣接するランイン１３’の一部領域でデータが記録される場合、記録が円滑に行われるように処理するものである。このような場合、ランアウト１８’とランイン１３’との所定領域で記録される部分に対応してエラー訂正させることによってリンキングが起こる。言い換えれば、オーバーライティングが開始される物理的クラスター１５Ａの前で記録が再び開始される時、正確な記録開始点で開始できない場合に対応してエラー訂正させることによってリンキングが行われるように処理する。図３Ｂで、Ａ領域の前にあるランアウト１８’とランイン１３Ａ間の矢印部分がリンキングが起こることを表す。
【００２４】
具体的に、ランアウト１８’にガード２  １８ｂ’を記録することによってリンキングを行える。さらに、ランアウト１８’にあるガード２  １８ｂ’とガード３  ２０とが同じ構成、すなわち同じパターンと同じ長さとを有するように処理することが望ましい。例えば、ガード３  ２０が少なくても３００チャンネルビット長を有し、少なくとも３Ｔ及び５Ｔを含む連続パターンよりなる場合、ガード２  １８ｂ’もこれと同じ長さ及びパターンを有するように構成されることが望ましい。ここで、３Ｔ及び５Ｔはディスクに記録されたマークの長さ単位を表す。このようにガード２  １８ｂ’をガード３  ２０と同一に構成すれば、ガード３  ２０に対して提示されたリンキングスキームをそのままに使用しうる利点がある。
【００２５】
前記のように、オーバーライティング領域Ａの前にあるランイン１３Ａとランアウト１８’間でリンキングが起こるように処理することによって、オーバーライティングが円滑になされる。次いで、ランイン１３Ａの後にある物理的クラスター１５Ａに記録／再生がなされ、オーバーライティングが終了するランアウト１８Ｂの後にあるランイン１３’に記録の終了を表すガード３  ２０’が再び記録される。
【００２６】
ここで、物理的クラスター１５Ａは、例えば、４９６個のレコーディングフレーム１５Ａ−１，１５Ａ−２，．．．，１５４Ａ−４９６よりなり、ランイン１３Ａの後にこれらレコーディングフレームを図示した。そして、ランアウト１８’の前部分にクラスターの４９６番目のレコーディングフレーム１５−４９６を表した。
【００２７】
前記実施例では、オーバーライティングが一つの物理的クラスター１５Ａよりなる場合を例示したが、複数の物理的クラスターに連続的にオーバーライティングが行われる場合にも同一に適用される。すなわち、複数の物理的クラスターにオーバーライトする場合、オーバーライティングされる領域の前にあるランインとランアウト間でリンキングを行い、オーバーライティングが終了する領域の後にガード３を記録する。
【００２８】
次いで、本発明の他の実施例による光ディスク及び光ディスクの記録方法について説明する。図４Ａは、記録／再生が可能な高密度の光ディスクにおいて、複数の物理的クラスター２５に連続的にデータが記録／再生される時、記録／再生できない欠陥領域２６が発生した場合を示す図である。この時、この欠陥領域２６のアドレスが欠陥リスト領域に保存される。欠陥領域２６は、記録／再生時に発生した場合だけでなく、ディスクの検証時に発生した場合も含まれる。物理的クラスター２５，２５Ｂの前後にはデータを正確に記録するためにそれぞれランイン２３，２３Ｂとランアウト２８’，２８Ｂとが規定されている。また、記録が終了する部分で記録の終了を意味するデータを記録したガード３
３０が備わる。
【００２９】
本発明の他の実施例による光ディスクの記録方法は、このように欠陥領域２６を含む光ディスクに記録が進められた後、この記録領域上に再記録するオーバーライティングが行われる時に適用される。図４Ａで、オーバーライティングが行われる領域をＢで表した。そして、オーバーライティングが行われる領域のランイン、物理的クラスター、ランアウトにはそれぞれの参照符号にそれぞれＢを付着して表示する。
【００３０】
まず、オーバーライティング領域Ｂの前にあるランアウト２８とランイン２３Ｂ間ではリンキングが行われる。オーバーライティングが開始される物理的クラスター２５Ｂの前で記録が再び開始される時、正確な記録開始点で開始できない場合に対応してエラー訂正させることによってリンキングを行う。図面では、リンキングが起こることを矢印で表し、リンキングについては前記と同じに適用されるので、ここでは詳細な説明を省略する。
【００３１】
次いで、欠陥領域２６では記録が続くことができないので、欠陥領域２６の直前にあるランイン２３Ｂ’に記録の終了を表す記録終了データ２４を再び記録する。この記録終了データ２４は、図２Ｂに示されたガード３  ３０と同じに構成されうる。ガード３  ３０は、例えば、少なくとも３００チャンネルビット長を有し、少なくとも３Ｔ及び５Ｔを含む連続パターンよりなり、前記記録終了データもガード３  ３０と同じ長さ及びパターンを有させることが望ましい。
【００３２】
次いで、欠陥領域２６の後にオーバーライティングが再び開始される時、欠陥領域２６に後続するランアウト２８Ｂ’とランイン２３Ｂ”とでリンキングが起こる。リンキングは、前述した方法と同じに行われる。また、オーバーライトする領域Ｂの最後のランアウト２８Ｂ”の後にあるランイン２３’にはデータ記録の終了を表すガード３  ２９が再記録される。
【００３３】
図４Ｂで、欠陥領域２６の後にあるランアウト２８Ｂ’とランイン２３Ｂ”間に矢印で表示したものがリンキングが起こることを表示したものである。
【００３４】
本発明では、前記のような記録方法によって記録された光ディスクが開始される。本発明による光ディスクは、図３Ｂ及び図４Ｂを参照すれば、データが記録された後にオーバーライティングが行われる時、オーバーライティング領域Ａ，Ｂの前にあるランアウト１８’，２８’とランイン１３Ａ，１３Ｂとでリンキングが起こる。そして、欠陥領域２６の前に記録の終了を意味する記録終了データ、例えば、ガード３  ２４が記録されている。
【００３５】
また、欠陥領域２６の後にあるランアウト２８Ｂ’とランイン２３Ｂ”とでもリンキングが起こるように処理されており、オーバーライティング領域Ａ，Ｂの最後のランアウト１８Ａ，２８”の後にガード３  １９，２９がそれぞれ記録される。
【００３６】
一方、本発明による光ディスクの記録／再生時に青紫色の波長の光源を使用し、開口数ＮＡが０.７以上である対物レンズを使用する。また、ディスクのトラックピッチは０.３５μm以下であり、最小記録マークは０.２μm以下の長さを有し、ＥＣＣ記録単位は３２ＫＢ以上に２０ＧＢ以上の記録容量を有することを特徴とする。
【００３７】
このように高密度の光ディスクでデータの連続的な記録後にオーバーライティングを行う時または欠陥領域の発生時にリンキングが起こるように処理し、記録終了データのガード３を適切な位置に記録することによって、さらに安定的かつ信頼性のあるデータの記録／再生を図ることができる。
【００３８】
本発明は図面に示された一実施例を参考として記述されたが、これは例示的なものに過ぎず、当業者ならば、これから多様な変形及び均等な他の実施例が可能であることが分かる。したがって、本発明の保護範囲は、特許請求の範囲の技術的思想によって決定されなければならない。
【産業上の利用可能性】
【００３９】
本発明による光ディスク及び光ディスクの記録方法は、データが記録された後、その上の一部領域にオーバーライティングを行う時または欠陥領域を含む領域にオーバーライティングを行う時、オーバーライティング領域の前でリンキングが起こるように処理し、欠陥領域の後にリンキングが起こるように規定することによって、データの記録／再生が安定的になされるように処理する。
【００４０】
また、欠陥領域の前でガード３を記録し、オーバーライティングが終了する部分にガード３を記録することによってこれ以上記録が進められないように処理する。このようにデータが連続的に記録／再生される高密度の光ディスクにおいて、オーバーライティングと欠陥領域とを処理する基準を提示することによって、ディスクドライブの互換性を確保し、これにより、高密度の光ディスクの記録／再生に対する信頼性を向上させうる。
【図面の簡単な説明】
【００４１】
【図１】従来のＣＤ−ＲＷに適用される基本記録単位構造を示す図である。
【図２Ａ】一つの物理的クラスターにデータが記録される構造を示す図である。
【図２Ｂ】複数の物理的クラスターにデータが連続的に記録される記録構造を示す図である。
【図３Ａ】本発明の一実施例による光ディスクにデータがオーバーライトされる部分を表示した図である。
【図３Ｂ】本発明の一実施例による光ディスク及びこの光ディスクの記録方法を説明するための図である。
【図４Ａ】本発明の他の実施例による光ディスクにデータがオーバーライトされる部分を表示した図である。
【図４Ｂ】本発明の他の実施例による光ディスク及びこの光ディスクの記録方法を説明するための図である。
【図１】
2005524921.tif 000003
【図２Ａ】
2005524921.tif 000004
【図２Ｂ】
2005524921.tif 000005
【図３Ａ】
2005524921.tif 000006
【図３Ｂ】
2005524921.tif 000007
【図４Ａ】
2005524921.tif 000008
【図４Ｂ】
2005524921.tif 000009
【国際調査報告】
2005524921.tif 000010